(57)【要約】【課題】様々な勾配の屋根に対して破風板状の化粧体を取り付け、且つ化粧体の軒側端部を家屋に確実に固定できるようにする。【解決手段】屋根の側端に取り付けられる化粧体の端部取付板を、化粧体の先端部側面の開口を閉鎖する本体板と、本体板の端部から側方に突出していて鼻隠しに接合する支持板から構成し、支持板の本体板に対する連結角度が調節自在に設ける。予め屋根勾配に応じて支持板と本体板の連結角度を調節しておき、本体板を化粧体の先端部に一体に取り付けて化粧体の先端側面の開口を本体板で閉鎖し、屋根の鼻隠しに支持板を接合しビスなどで固定して、化粧体の先端部を屋根に取り付ける。【選択図】図２
2005307486.tif 000002
【特許請求の範囲】
【請求項１】
屋根の側端に取り付けられる化粧体の端部取付板において、化粧体の先端部側面の開口を閉鎖する本体板と、本体板の端部から側方に突出していて鼻隠しに接合する支持板からなり、支持板の本体板に対する連結角度が調節自在に設けられていることを特徴とする化粧体の端部取付板。
【発明の詳細な説明】
【技術分野】
【０００１】
本発明は、屋根の端に取り付けられる化粧体の端部取付板の構造に関する。
【背景技術】
【０００２】
家屋の切妻屋根廻りの造作において、妻側の側端部を装飾するため、屋根の端に沿って破風板状の化粧体を取り付けることがある。
この化粧体は、例えば図５に示されるように、鋼板を折り曲げてなる上部構成板５１ａ、下部構成板５１ｂ、ケラバ連結片５１ｃ、継手板５１ｄ及び端部取付板５１ｅを一体に組み合わせて破風板状に構成されており、その内側開口面を家屋のケラバに設置した取り付け具に装着し、端部取付板５１eの端部で横向きに折れた支持片５１ｆを鼻隠し５２に接合し釘で固着して、屋根の端に固定されるようになっていた（例えば特許文献１参照）。
【０００３】
【特許文献１】特開平２００２−２４２３９４号公報
【発明の開示】
【発明が解決しようとする課題】
【０００４】
家屋の屋根勾配は、屋根葺材料や屋根面の大きさ、雨量、積雪量などを考慮して決定され、これら条件に応じて屋根は適宜な勾配に設定される。一方、軒樋が取り付けられる鼻隠し５２の表面は、屋根勾配にかかわりなく通常、鉛直な面に設けられている。
前記従来の化粧体５１は、様々な勾配の屋根に取り付けられるが、化粧体５１の構成部材のうち、端部取付板５１ｅを除く他の部材は勾配の異なる屋根に共用可能なものの、化粧体５１と鼻隠し５２とに連結する端部取付板５１ｅは、勾配の異なる屋根には共用することができず、各勾配の屋根毎で個別に形成する必要があるために、化粧体５１の施工コストを押し上げる要因となっていた。
【０００５】
本発明は従来技術の有するこのような問題点に鑑み、様々な勾配の屋根に対して破風板状の化粧体を取り付け、且つ化粧体の軒側端部を家屋に確実に固定できるようにすることを課題とする。
【課題を解決するための手段】
【０００６】
前記課題を解決するため本発明は、屋根の側端に取り付けられる化粧体の端部取付板において、化粧体の先端部側面の開口を閉鎖する本体板と、本体板の端部から側方に突出していて鼻隠しに接合する支持板からなり、支持板の本体板に対する連結角度が調節自在に設けられていることを特徴としている。
【０００７】
本発明の端部取付板は、屋根の側端に取り付けられる破風板状化粧体の構成部材であり、本体板を化粧体の先端部に一体に取り付け、化粧体先端側面の開口を本体板で閉鎖して化粧体を構成する。化粧体に本体板を取り付けた状態で支持板は本体板の端部から化粧体の側方へ突出し、化粧体を屋根に取り付けたときに、支持板は鼻隠しの表面に重なり合う。そして、重なり部にビスや釘などの固着具を打ち込んで支持板を鼻隠しに固着することにより、化粧体の先端部分が家屋に固定される。支持板と本体板の連結角度を調節し得るように設けてあるので、屋根の勾配に応じて連結角度を適宜に調節し、化粧体を取り付けたときに支持板が鉛直面に沿うように設定して、鼻隠しの表面に支持板を隙間なくぴったりと接合させることができる。
【発明を実施するための最良の形態】
【０００８】
本発明の好適な一実施形態を図面を参照して説明する。
図１は本発明の端部取付板を構成部材として化粧体を構成した屋根の軒側外観図、図２は図１の化粧体の構成部材を展開した状態の外観図、図３は端部取付板の本体板と支持板を分離して示した外観図と側面図、図４は化粧体を取り付ける手順を説明するための図である。
【０００９】
図１に示されるように、この形態は、切妻屋根のケラバに破風板状の化粧体を取り付けて屋根の側端を装飾する場合の実施例であり、図中、符号Ｒは屋根、Ｇａは妻、Ｇｕは鼻隠しＦに沿って取り付けられた軒樋、１は化粧体をそれぞれ示している。
【００１０】
化粧体１は、図２に示されるように、化粧板２、端部取付板３、先端キャップ４、雨垂れ防止板５を一体に組み立てて構成されている。
【００１１】
化粧板２は、長尺鋼板をその長手方向に沿って折り曲げ、略々コ字状の断面を呈する屈曲形状に形成してある。
詳しくは、化粧板２は、横長矩形状の外側面２１の上下に上面２２と下面２３が垂直に連なり、上面２２の端部２２ａを内側へ折り返し、下面２３の端部の内、化粧板２の先端部側の端部２３ａを内折れさせ、他端部２３ｂを外方へ突出させて、前記外側面２１と空隙を挟んで対向する化粧板２の内側面を帯状に開口させた形状に設けてある。前記内折れした上面端部２２ａと下面端部２３ａにはそれぞれ端部取付板３の取付孔２４を設けてあり、外側面２１の先端側縁部には先端キャップ４を係止するための突片２１ａを設けてある。
【００１２】
端部取付板３は、化粧板２の先端部に取り付けられる本体板３１と、鼻隠しＦに接合する支持板３２からなり、本体板３１の後端部に支持板３２を一体に連結して構成してある。
詳しくは、図３に示されるように、本体板３１は、化粧板２の先端から後端側へ適宜な長さに亘り前記上面端部２２ａと下面端部２３ａの間の開口を閉鎖し得る大きさの横長矩形状の鋼板であり、その上下両端に上面端部２２ａと下面端部２３ａとに接合する上部折れ部３１ａと下部折れ部３１ｂを平行に配し、また、後端に支持板３２が接続する連結面部３１ｃを突設させてある。上下の両折れ部３１ａ、３１ｂには、それぞれビスなどの固着具を挿通させるための取付孔３３が設けられ、また、連結面部３１ｃの下部にも取付孔３３を設けてある。また、先端側縁部には先端キャップ４を係止するための突片３１ｄを設けてある。
支持板３２は、前記連結面部３１ｃと同幅の鋼板を直角に折り曲げてなり、直角に交差する一側の面３２ａの上縁には適宜な長さの舌片３２ｂを突設させ、その下部には固着具を挿通させる取付孔３３が設けてあり、また、他側の面３２ｃは矩形の輪郭形状に設けてある。
図３（Ｂ）に示されるように、端部取付板３は、本体板３１の連結面部３１ｃに支持板３２の一側面３２ａを重ね合わせた状態で取付孔３３、３３内に固着具６を挿通させて固着するとともに、支持板３２の舌片３２ｂを折り曲げて連結面部３１ｃの表面にカシメ止めすることにより一体に連結される。この際、重なり合った取付孔３３を支点として、連結面部３１ｃと一側面３２ａとの重合位置をずらすことで（同図中矢符方向）、本体板３１に対する支持板３２の他側面３２ｃの傾斜角度が適宜な角度に調節される。固着具６で本体板３１と支持板３２を回転自在に締着し、両板の角度調節をした後、舌片３２ｂをカシメ止めすることで支持板３２が本体板３１に固着されるように設けてもよい。両板が連結した状態で、前記他側面３２ｃは、連結面部３１ｃの端部に直交して本体板３１の側方へ突出する。
【００１３】
先端キャップ４は、プラスチックを用いて縦長のブロック状に形成されており、その両側面には、化粧板２の突片２１ａと本体板３１の突片３１ｄがそれぞれ係入可能なスリット４１、４１が設けてある。先端キャップ４は、端部取付板３を化粧板２に取り付けた状態で両板間に形成される開口内に嵌め入れ、前記両突片２１ａ、３１ｄをスリット４１、４１にそれぞれ係入させて化粧体１の先端部に一体に取り付けられるようになっている。
【００１４】
雨垂れ防止板５は、化粧体１の上面を伝う雨水を軒樋Ｇｕに導くための部材であり、プラスッチックにより成形され、固着具６によって化粧板２の上面２２に固定されるようになっている。
【００１５】
これらの部材からなる化粧体１の組み立ては、先ず、化粧体１を屋根Ｒの端に取り付けたときに支持板３２の他側面３２ｃが鼻隠しＦの表面にぴったりと接合するように、他側面３２ｃの傾斜角度を調節して支持板３２を本体板３１に一体に連結し、次いで本体板３１と支持板３２を一体化させた端部取付板３を化粧板２の先端部に装着し、本体板３１の上下折れ部３１ａ、３１ｂを化粧板２の上面端部２２ａと下面端部２３ａに接合させ、重合面を固着具６で固定して化粧板２の先端部に端部取付板３を一体に取り付け、併せて化粧板２と端部取付板３の間の端部開口に先端キャップ４を取り付けて開口を閉塞し、さらに化粧板２の上面２２に雨垂れ防止板５を固着具６で固定することにより行われる。
【００１６】
組み立てられた化粧体１は、図示されない装着部材などを用いて、屋根Ｒの妻Ｇａに沿って取り付けられ、軒側に突出する先端部分は、図４に示されるように、支持板３２の他側面３２ｃが鼻隠しＦにぴったりと接合し、重合面に釘などの固着具６を打ち込んで鼻隠しＦに一体に固定される。化粧体１が取り付けたならば、鼻隠しＦに軒樋Ｇｕが取り付けられる。
【００１７】
このように本発明の端部取付板３は、鼻隠しＦに接続する支持板３２と化粧体１に接続する本体板３１の連結角度を調節自在に設けてあるので、鼻隠しＦに支持板３２をぴったりと接合させて化粧体１の先端部を屋根Ｒに確実に固定することができるとともに、化粧体１が取り付けられる屋根勾配に応じて支持板３２と本体板３１の連結角度を調節することにより、同形状の端部取付板３を用いて化粧体１を様々な勾配の屋根に取り付けることができ、化粧体１の構成部材全体を共用化することができる。
【００１８】
なお、図示した化粧体及び端部取付板の形態は一例であり、本発明は図示した形態に限定されず、他の適宜な形態に構成可能である。
【図面の簡単な説明】
【００１９】
【図１】本発明の一実施形態の端部取付板を構成部材として化粧体を構成した屋根の軒側外観図である。
【図２】図１の化粧体の構成部材を展開した状態の外観図である。
【図３】端部取付板の本体板と支持板を分離して示した外観図（Ａ）と側面図（Ｂ）である。
【図４】化粧体を取り付ける手順を説明するための図である。
【図５】（Ａ）は従来の化粧体の部材展開外観図、（Ｂ）はこれを軒側に取り付ける状態を示した図である。
【符号の説明】
【００２０】
１  化粧体、２  化粧板、３  端部取付板、３１  本体板、３２  支持板、４ 先端キャップ、５  雨垂れ防止板、６  固着具、Ｒ  屋根、Ｇａ  妻、Ｇｕ  軒樋、Ｆ  鼻隠し
【図１】
2005307486.tif 000003
【図２】
2005307486.tif 000004
【図３】
2005307486.tif 000005
【図４】
2005307486.tif 000006
【図５】
2005307486.tif 000007